(57)【特許請求の範囲】
【請求項１】
梁に結合片を介して小梁、根太、野縁などの横架材が結合され、結合片が梁に結合される上フランジ部、下フランジ部および側面部を備え、側面部が横架材の端部を嵌合させ、かつ横架材を支持する縁部をもつ挿入開口を備えていること、を特徴とする結合構造。
【請求項２】
結合片の挿入開口が上部を外部に開放されている請求項１に記載の結合構造。
【請求項３】
結合片の側面部が、挿入開口に沿って配置された、横架材に結合されるブラケット部を備えている請求項１あるいは請求項２に記載の結合構造。
【請求項４】
請求項１、請求項２あるいは請求項３に記載の結合構造を備えた床構造であって、床の一部において上記結合片の挿入開口高さを変えることによって、上記横架材の高さが変えられていること、を特徴とする床構造。
【請求項５】
請求項１、請求項２あるいは請求項３に記載の結合構造を床部に備えた建物ユニットが複数並設されたユニット建物であって、一部の建物ユニットにおいて、上記結合片の挿入開口高さを変えることによって上記横架材の高さが変えられていること、を特徴とするユニット建物。
【発明の詳細な説明】
【０００１】
【発明の属する技術分野】
この発明は結合構造と、該結合構造をもつ床構造およびユニット建物とに関している。
【０００２】
【従来の技術】
ユニット建物を構成する建物ユニットにおいて、大梁と小梁とを結合する結合構造はたとえば特開平８−１５１６８９号公報に記載されている。
【０００３】
この結合構造は建物ユニットの床となる床部や天井となる天井部を組み立てるのに使用される。
【０００４】
天井部を構成するフレームは、図９に示すように、天井大梁Ａと、天井小梁Ｂと、これらの梁を結合する結合片Ｃとからなっている。天井大梁Ａは金属から、天井小梁Ｂは木材からなっている。結合片Ｃは、上フランジ部Ｄと上フランジ部Ｄと平行に配置された下フランジ部Ｅおよび上下フランジ部Ｄ，Ｅの端縁を接続する側面部Ｆとを備えている。側面部Ｆには一対のブラケット部Ｇが溶接されている。天井大梁Ａと天井小梁Ｂとの結合は、天井大梁Ａを結合片Ｃの上フランジ部Ｄ，下フランジ部Ｅおよび側面部Ｆによって形成される空間に嵌合し、かつ天井大梁Ａに結合し、天井小梁Ｂを結合片のブラケット部Ｇの間に入れ、天井小梁Ｂとブラケット部ＧとをボルトＨなどによって締結することでなされている。
【０００５】
また、床部を構成するフレームは、図１０に示すように、床大梁Ａ’と、床小梁Ｂ’と、これらの梁を結合する結合片Ｃ’とからなっている。床大梁Ａ’および床小梁Ｂ’は金属からなっている。結合片は、上フランジ部Ｄ’と上フランジ部Ｄ’の端縁から斜め下方に延びる側面部Ｆ’とを備えている。床大梁Ａ’と床小梁Ｂ’との結合は、結合片Ｃ’の上フランジ部Ｄ’を床大梁Ａ’の上面部Ｊ’に，側面部Ｆ’の自由端あるいは下端を床大梁Ａ’の下面部Ｋ’に溶接し、床小梁Ｂ’の端部を結合片Ｃ’の側面部Ｆ’に溶接することによってなされている。
【０００６】
【発明が解決しようとする課題】
前者のフレームの結合構造は、天井小梁Ａが結合片Ｃのブラケット部Ｇにボルト締結されているため、天井小梁Ｂの高さがつねに一定である。また、後者のフレームの結合構造は、床小梁Ｂ’が結合片Ｃ’のみならず、床大梁Ａ’の下面部Ｋ’によっても支持されているため、床小梁Ｂ’の上面の高さが一定している。このため、設計目的に応じて、床小梁Ｂあるいは天井小梁Ｂ’の高さを変えようとすると、たとえば、隣接する二つの建物ユニットの片方に洋室に、他方を和室に構成し、これらの床をバリアフリーなものとするために、和室となる建物ユニットの小梁の高さを低くしようとすると、特別な結合片を設計し、製造しなければならない。
【０００７】
本発明の目的は、床や天井の高さを任意に設定することができ、しかも、これを簡単におこなえる結合構造、該結合構造をもつ床構造およびユニット建物を得ることにある。
【０００８】
【課題を解決するための手段】
上記目的を達成するために、請求項１の結合構造は、梁に結合片を介して小梁、根太、野縁などの横架材が結合され、結合片が梁に結合される上フランジ部、下フランジ部および側面部を備え、側面部が横架材の端部を嵌合させ、かつ横架材を支持する縁部をもつ挿入開口を備えている。
【０００９】
また、請求項２の結合構造は、請求項１に記載の結合構造において、結合片の挿入開口が上部を外部に開放されている。
【００１０】
そして、請求項３の結合構造は、請求項１あるいは請求項２に記載の結合構造において、結合片の側面部が、挿入開口に沿って配置された、横架材に結合されるブラケット部を備えている。
【００１１】
さらに、上記目的を達成するために、請求項４の床構造は、請求項１、請求項２あるいは請求項３に記載の結合構造を備えた床構造であって、床の一部において上記結合片の挿入開口高さを変えることによって、上記横架材の高さが変えられている。
【００１２】
さらにまた、上記目的を達成するために、請求項５のユニット建物は、請求項１、請求項２あるいは請求項３に記載の結合構造を床部に備えた建物ユニットが複数並設されたユニット建物であって、一部の建物ユニットにおいて、上記結合片の挿入開口高さを変えることによって上記横架材の高さが変えられている。
【００１３】
【作用】
このように構成された請求項１の結合構造では、挿入開口の高さを変えることによって、横架材の高さが変化するため、この結合構造をたとえばユニット建物を構成する建物ユニットの床部や天井部に用いたときに、挿入開口の高さが異なる結合片を用意しておくことによって、設計目的に応じた高さをもつ床や天井を得られる。そして、横架材が結合片の挿入開口を形成する縁部によって位置決めをなされ、横架材の位置決め作業を特に必要としないため、横架材と結合片との接合作業も簡単におこなえる。
【００１４】
これにおいて、請求項２のように、結合片の挿入開口が上部を外部に開放されていると、上部から横架材を結合片の挿入開口に落とすだけで、横架材が挿入開口に嵌合され、同時に挿入開口の下縁部に当たって位置決めをなされるため、結合作業がより簡単におこなえる。
【００１５】
また、請求項３のように、結合片の側面部が、挿入開口に沿って配置された、横架材に結合されるブラケット部を備えていると、横架材が木材からなっていても、ボルトや釘などによってブラケット部に固定することによって、梁との結合をおこなえる。このときにも、横架材は挿入開口の縁部によって位置決めされ、横架材の位置決め作業を特別に必要としないため、ボルト締結や釘うちを容易におこなえる。
さらに、前述のように構成された請求項４の床構造では、各部屋の仕様および装着される住宅設備機器に応じた高さをもつ床を容易に得られ、床面の段差の解消もおこなえる。
【００１６】
さらにまた、前述のように構成された請求項５のユニット建物は、高さの異なる床および天井を得られるばかりか、たとえば、隣接配置される建物ユニット間の床面の高さを合わせて、段差の解消をおこなうなどすることができる。
【００１７】
【発明の実施の形態１】
本発明の実施の形態１の結合構造、該結合構造をもつ床構造およびユニット建物を、図を参照して説明する。
【００１８】
図１〜図３は本発明の実施の形態１の結合構造における結合片を示している。結合片はこれらの図において全体を参照符号１０によって示されている。
【００１９】
この結合片１０は、たとえば、金属のみぞ形部材、たとえばみぞ形鋼からなる梁２１と、金属の角パイプからなる横架材あるいは小梁２２とを直角に結合するためのものである。
【００２０】
結合片自体は梁２１に固定される本体を有している。本体は上フランジ部１１、下フランジ部１２および側面部１３からなっている。上フランジ部１１および下フランジ部１２は梁２１の上面部２１ａと下フランジ部１２との間の距離に関連する間隔を形成して互いに平行配置されている。側面部１３は上フランジ部１１と下フランジ部１２の一側縁部を接続するように配置されている。
【００２１】
側面部１３には挿入開口１４が設けられている。挿入開口１４は、図３に示すように、小梁２２の幅に対応する幅をもつもので、上フランジ部１１から下フランジ部１２に向かって本体に垂直に配置されている。挿入開口１４の上部は、上フランジ部１１に位置し、上フランジ部１１において開放されている。挿入開口１４の残余は、側面部１３の上に位置し、下端が閉じている。この挿入開口１４は図３によく示されているように全体として矩形をなし、下縁部１４ａは上縁部１４ｂと平行であり、両側縁部１４ｃも互いに平行となっている。そして、この結合片において、挿入開口１４における上フランジ部１１から挿入開口下縁部１４ａまでの距離Ｌは、たとえば小梁２２の高さＨよりも小さくなっている。
【００２２】
梁２１に対する結合片１０の結合は、上フランジ部１１の内面が梁２１の上面部２１ａの外面に、下フランジ部１２の外面が梁２１の下面部２１ｂの内面にそれぞれ接触するように、結合片１０を梁２１に嵌め、上フランジ部１１および下フランジ部１２を梁２１の上下面部２１ａ，２１ｂにたとえば溶接することによってなされている。
【００２３】
結合片１０に対する小梁２２の結合は、小梁２２の端部を、結合片１０の挿入開口１４における上フランジ部１１に位置する部分の上方から挿入開口１４の内部に落とし、上フランジ部１１と側面部１３とに溶接することによってなされている。このときに、挿入開口１４は下縁部１４ａによって小梁２２を支持し、小梁２２の位置決めがなされるため、小梁２２を上部から挿入開口１４に落とすだけで、小梁２２を結合片１０に取り付けることができることと相俟って、接合作業を容易におこなえる。
【００２４】
この結合構造は、たとえば、ユニット建物を構成する建物ユニットの床部において床大梁と床小梁との結合に、天井部において天井大梁と天井小梁との結合などに使用される。
【００２５】
図４はこの結合構造をもつ建物ユニットの一例を示している。
【００２６】
この建物ユニットは床部１２０、天井部１３０、それに一対の壁部１４０，１５０を備えている。
【００２７】
床部１２０は二本の床大梁１２１と複数の横架材である床小梁１２２とからなる床フレームを備えている。床大梁１２１はみぞ形鋼から、床小梁１２２は金属の角パイプからそれぞれなっている。床大梁１２１は互いに平行に配置されている。床小梁１２２は、床大梁１２１の間に、床大梁１２１と直角に、かつ等間隔に配置されていると共に、両端を結合片１１０によって床大梁１２１に結合されている。
【００２８】
天井部１３０は、二本の天井大梁１３１と複数の天井小梁１３２とからなる床フレームを備えている。天井大梁１３１はみぞ形鋼からなっている。天井大梁１３１は互いに平行に配置されている。天井小梁１３２は矩形断面をもつ木材からなっている。天井小梁１３２は、天井大梁１３１の間に、天井大梁１３１と直角に、かつ等間隔に配置されていると共に、両端にある段状切り欠きを天井大梁１３１の下面部に嵌合され、かつ天井大梁１３１にボルトなどによって固定されている。
【００２９】
壁部１４０は柱１４１、天井梁１４２および床梁１４３からなる壁フレームを備えている。柱１４１は金属の角パイプからなっており、上下端をキャップによって覆われている。天井梁１４２および床梁１４３はみぞ形鋼からなっている。柱１４１は互いに平行に配置され、天井梁１４２は柱１４１の上部に掛け渡され、床梁１４３は柱１４１の下部に掛け渡され、ぞれぞれジョイントプレート１４７，１５７によって結合されている。
【００３０】
壁部１５０は柱１５１、天井梁１５２および床梁１５３からなる壁フレームを備えている。柱１５１は金属の角パイプからなっており、上下端をキャップによって覆われている。天井梁１５２および床梁１５３はみぞ形鋼からなっている。柱１５１は互いに平行に配置されている。天井梁１５２は柱１５１の上部の間に掛け渡され、床梁１５３は柱１５１の下部の間に掛け渡され、ぞれぞれジョイントプレート１５４，１５５によって結合されている。
【００３１】
なお、図示していないが、各部１２０，１３０，１４０，１５０は、各々のフレームに下地板、仕上げ板などを取り付けることによって形成されている。
【００３２】
建物ユニットは、たとえば、壁部１４０，１５０を平行に配置し、天井部１３０を壁部１４０の上部に配置し、壁部１４０，１５０にあるジョイントプレート１４６，１５６を壁部１４０の天井大梁１３１に嵌合し、かつボルト締結すると共に、床部１２０を壁部１４０，１５０の下部に配置し、壁部１４０，１５０にあるジョイントプレート１４８，１５８を床部１２０の床大梁１２１に嵌合し、かつボルト締結することによって、組み立てられる。
【００３３】
この建物ユニットは、ひとつあるいは複数でもって洋室、和室、サニタリーなどを構成する。ユニット建物は、これらの建物ユニットを積み上げたあと、建物ユニット同士を結合することによって構築される。
【００３４】
【実施例１】
図５は、この発明の実施の形態１の実施例を示すもので、前記実施の形態１と同一あるいは均等な部分については、下二桁が同じ符号を付して説明する。
【００３５】
まず構成を説明すると、この実施例１は、ひとつの建物ユニットの仕様を洋室としたときの、床部１２０の床大梁１２１と床小梁１２２との結合部分に、前記結合構造を適用したものである。
【００３６】
結合片１１０は、図１〜図３に関連して説明した結合片１０と同様に、上フランジ部１１１、下フランジ部１１２および側面部１１３からなる本体を備えている。挿入開口１１４が上フランジ部１１１と側面部１１３とをまたがって設けられている。挿入開口１１４の高さＬ１は床小梁１２２の高さＨ１よりも低い。
【００３７】
床大梁１２１に対する結合片１１０の結合は、上フランジ部１１１の内面を床大梁１２１の上面部１２１ａの外面に、下フランジ部１１２の外面を床大梁１２１の下面部１２１ｂの内面にそれぞれ接触するように床大梁１２１に嵌め、上フランジ部１１１および下フランジ部１１２を床大梁１２１の上面部１２１ａおよび下面部１２１ｂに溶接することによってなされている。床小梁１２２は、端部を、結合片１１０の挿入開口１１４における上フランジ部１１１に位置する部分の上方から挿入開口１１４の中に落とし込み、上フランジ部１１１と側面部１１３とに溶接することによって、床大梁１２１に結合されている。下地板１６１は床小梁１２２の上に敷かれ、床小梁１２２に固定されている。フローリング１６２が下地板１２２の上に配置され、かつ下地板１２２に固定されている。
【００３８】
次に、この実施例１の作用を説明する。この実施例１の床構造では、前記実施の形態１の作用効果に加えて、さらに、床大梁１２１と床小梁１２２とを結合したときに、床小梁１２２の上面部１２２ａが床大梁１２１の上面部１２１ａよりも高くなるため、下地板１６１およびフローリング１６２を床小梁１２２に直接に張ることができ、床根太などを必要としない。
【００３９】
なお、他の構成および作用効果については、前記実施の形態１と略同じであるので、説明を省略する。
【００４０】
【実施例２】
本発明において、結合片１０，１１０は、挿入開口１４，１１４における上フランジ部１１，１１１から挿入開口下縁部１４ａ，１１４ａまでの高さＬ，Ｌ１が異なるものを準備しておくことによって、設計目的に応じて、任意の高さの床を得られる。
【００４１】
図６は、この発明の実施の形態１の実施例２を示すもので、前記実施の形態１と同一あるいは均等な部分については、下二桁が同じ符号を付して説明する。
【００４２】
構成を説明すると、この実施例２は、隣接する二つの建物ユニットの一方の仕様を洋室に、他方のそれを和室に構成したときの、床部の床大梁２２１と床小梁２２２との結合部分に、前記結合構造を適用したものである。
【００４３】
洋室を構成する建物ユニットの床大梁２２１はもうひとつの床大梁と平行に配置されている。和室を構成する建物ユニットの床大梁２２１’ももうひとつの床大梁と平行に配置されている。
【００４４】
床小梁２２２は、床大梁２２１ともう片方の床大梁との間に配置され、両端を結合片２１０によってこれらの床大梁に結合されている。また、床小梁２２２’も、梁大梁２２１’ともう片方の床大梁との間に配置され、両端を結合片２１０’によってこれらの床大梁に結合されている。
【００４５】
床小梁２２２には下地板２６１が敷設されてる。下地板２６１の上には仕上げ板、たとえばフローリング２６２が敷設されている。また、床小梁２２２’にも下地板２６１’が敷設されてる。畳２６２’が下地板２６１’の上に敷設されている。敷居２６３はフローリング２６２と畳２６２’との間に配置されていると共に、下地板２６１に固定されている。
【００４６】
結合片のうち、洋室となる建物ユニットの床部を構成する結合片２１０は、図１〜３に関連して説明した結合片と同じに構成されている。和室となる建物ユニットの床部を構成する結合片２１０’は、図１〜３に関連して説明した結合片と同じに構成された本体をもつが、挿入開口２１４’が異なっている。挿入開口２１４’は、上フランジ部２１１’から挿入開口２１４’の下縁部２１４ａ’との間の高さＬ２が床小梁２２２’の高さとほぼ同じになるように結合片本体に設けられている。
【００４７】
次に、この実施例２の作用を説明する。前記実施の形態１の作用効果に加えて、さらに、床小梁２２２’と梁部材２２３’とを結合片２１０’によって結合すると、床小梁２２２’の上面は床小梁２２２のそれよりも低くなり、下地板２６１’および畳２６２’を床小梁２２２’に敷設したときに、畳２６２’がフローリング２６２の表面と同一平面になる。そして、敷居２６３がフローリング２６２と畳２６２’との間に配置されても、ほぼ同一平面となるため、バリアフリーの建物を簡単に得られる。
【００４８】
なお、他の構成および作用効果については、前記実施の形態１と略同じであるので、説明を省略する。
【００４９】
【実施例３】
図７は、この発明の実施の形態１の実施例３を示すもので、前記実施の形態１と同一あるいは均等な部分については、下二桁が同じ符号を付して説明する。
【００５０】
構成を説明すると、この実施例３は、隣接する二つの建物ユニットの一方の仕様を洗面室として、他方のそれを浴室として構成したときの、床部の床大梁３２１と床小梁３２２との結合部分に、前記結合構造を適用したものである。
【００５１】
構成を説明する。この実施例３の図７において、洗面室を構成する建物ユニットの床部を構成する床大梁は参照符号３２１によって，浴室を構成する建物ユニットの床部を構成する床大梁は参照符号３２１’によってそれぞれ示されている。図示していないが、各々の建物ユニットには洗面台、風呂桶、シャワーなどの各々の使用に応じた住宅設備機器を組み付けられている。
【００５２】
洗面室を構成している建物ユニットの床部は、床大梁３２１とこれと平行に配置されたもうひとつの床大梁とを備えている。浴室を構成している建物ユニットの床は、床大梁３２１’とこれと平行に配置されたもうひとつの床大梁とを備えている。
【００５３】
床小梁３２２は、床大梁３２１ともう片方の床大梁との間に配置され、結合片３１０によって、両端をこれらの床大梁に結合されている。床小梁３２２’も、梁大梁３２１’と外側の片方の床大梁との間に配置され、結合片３１０’によって、両端をこれらの床大梁に結合されている。
【００５４】
床小梁３２２には下地板３６１が敷設され、フローリング３６２が下地板３６１の上に敷設されている。
【００５５】
床小梁３２２’には下地板３６１’が敷設されている。トラップ３６５’は浴室の基板３６１’に固定されている。図示されていないが、トラップ３６５’の底壁は浴室配管に接続されている。防水版３７１’は根太３６９’と束３７３’とを介して基板３６１’に固定されている。基板３７１’は高さ調整器３６４’によって下地板３６１’に支持されていて、高さ調整器３６１’によってトラップ３６５’、防水版３７２’、根太３６９’および束３７３’と一緒に昇降することができる。
【００５６】
また、トラップ３６５’の内部にはレール３６６’およびすのこ３６８’が平行に配置され、かつトラップ３６５’に固定されている。引き戸３６７’は、三枚からなり、下側縁部にあるガイドはレール３６６’にはめ込まれ、上側縁部にあるガイドは天井部１３０にあるレールにはめ込まれ、図面の紙面の前後方向にスライドすることができる。
【００５７】
洗面室となる建物ユニットにある結合片３１０は、図１〜３に関連して説明した結合片１０と同じに構成されている。しかし、浴室となる建物ユニットにある結合片３１０’は、挿入開口３１４’のみが異なっている。挿入開口３１４’は、上フランジ部３１１’から挿入開口３１４’の下縁部３１４ａ’との間の高さＬ３が、床小梁３２２’の高さＨ３よりも長い。床小梁３２２’は下面部３２２ｂ’を挿入開口３１４’の下縁部３１４ａ’あるいは下フランジ部３１２’の内面に接触させて、挿入開口３１４’に嵌合され、側面部３１３’および下フランジ部３１２’に溶接などによって結合されている。
【００５８】
次に、この実施例３の作用を説明する。前記実施の形態１の作用効果に加えて、さらに、浴室側の床小梁３２２’は洗面室側の床小梁３２２よりも低くなるため、下地板３６１’、トラップ３６５’などを床小梁３２２’に設置しても、浴室の床となる防水版３７２’と洗面室の床３６２とを同一平面にすることができる。
【００５９】
なお、他の構成および作用効果については、前記実施の形態１と略同じであるので、説明を省略する。
【００６０】
【発明の実施の形態２】
図８はこれらの結合構造、床構造およびユニット建物において用いられる結合構造の実施の形態２を示している。
【００６１】
この梁結合措置は実施形態１の結合構造に対しては結合片の構成のみが異なっている。
【００６２】
図８において、結合片は全体を参照符号４１０によって、大梁は４２１によって、小梁は４２２によってそれぞれ示されている。
【００６３】
結合片４１０は、図１に関連して実施形態１として説明した結合片と同様に、上フランジ部４１１と、上フランジ部４１１と平行に配置された下フランジ部４１２と、上フランジ部４１１と下フランジ部４１２とを接続する側面部４１３とを備え、上フランジ部４１１と側面部４１３とに挿入開口４１４を設けられている。しかし、この結合片４１０では、側面部４１３には一対のブラケット部４１５が設けられている。これらのブラケット部４１５は挿入開口４１４の両側縁部に沿って側面部４１３に配置され、かつこれに溶接などによって結合されている。
【００６４】
梁４２１に対する結合片４１０の結合は上フランジ部４１１、下フランジ部４１２および側面部４１３によって形成される空間に大梁４２１をはめ、これらを溶接することによってなされる。また、梁４２２は、結合片４１０の挿入開口４１４における上フランジ部４１１に位置する部分の上方から挿入開口４１４の中に落とし、ボルト４２３およびナット４２４などによってブラケット部４１５に固定することによって、結合片４１０に結合されている。
【００６５】
次に、この実施の形態２の作用を説明する。前記実施の形態１の作用効果に加えて、さらに、実施の形態１の結合構造よりも、梁４２２と結合片４１０の結合を強固におこなえる。そして、この結合片４１０は、梁４２２が木材からなっていても結合をおこなえる。すなわち、結合片４１０の挿入開口４１４における上フランジ部４１１に位置する部分の上方から、木材梁を挿入開口４１４の中に落とし、木材梁とブラケット部４１５とをボルト４２３およびナット４２４や釘などによって締結する。
【００６６】
なお、他の構成および作用効果については、前記実施の形態１と略同じであるので、説明を省略する。
【００６７】
以上説明した実施形態において、結合片１０，２１０，３１０，４１０は片方の梁２１，２２１，３２１，４２１に結合される部分が、上フランジ部１１，２１１，３１１，４１１と、これと平行配置された下フランジ部１２，２１２，３１２，４１２と、上下フランジ部の端縁を接続する側面部１３，２１３，３１３，４１３とからなっているが、たとえば、上フランジ部と上フランジ部の端から斜め下方に延びる側面部とのみによって構成して、上フランジ部を梁の上面部に接合し、側面部の自由端縁を梁の下面部に接合した構成として、図４に示す天井部１３０を構成する天井大梁１３１と天井小梁１３２とを結合するなど、本発明を逸脱しない範囲での変更をなしてもよい。
【００６８】
【発明の効果】
請求項１の結合構造では、挿入開口の高さを変えることによって、横架材の高さが変わり、横架材の高さが変化するため、この結合構造をたとえばユニット建物を構成する建物ユニットの床部や天井部に用いたときに、挿入開口の高さが異なる結合片を用意しておくことによって、設計目的に応じた高さをもつ床や天井を得られる。そして、横架材が結合片の挿入開口を形成する縁部によって位置決めをなされ、横架材の位置決め作業を特に必要としないため、横架材と結合片との接合作業も簡単におこなうことができる。
【００６９】
請求項２の結合構造は、上部から横架材を結合片の挿入開口に落とすだけで、横架材が挿入開口に嵌合され、同時に挿入開口の下縁部に当たって位置決めをなされるため、結合作業をより簡単におこなうことができる。
【００７０】
請求項３の結合構造は、横架材が木材からなっていても、ボルトや釘などによってブラケット部に固定することによって、梁との結合をおこなうことができる。
【００７１】
請求項４の床構造は、各部屋の仕様および装着される住宅設備機器に応じた高さをもつ床を容易に得られ、床面の段差の解消をおこなうことができる。
【００７２】
請求項５のユニット建物は、一部の建物ユニットにおいて床あるいは天井もしくはこれらの双方の高さを異ならせることができるばかりか、隣接配置された建物ユニットと床面の高さを合わせて、段差の解消もおこなうことができる。
【図面の簡単な説明】
【図１】本発明の実施の形態１の結合構造の一実施形態を示す平面図である。
【図２】図１のＡ−Ａ線に沿う断面図である。
【図３】図１に示す結合構造の分解斜視図である。
【図４】本発明の実施の形態１のユニット建物を構成する建物ユニットの分解斜視図である。
【図５】本発明の実施の形態１の実施例１の床構造を示す断面図である。
【図６】本発明の実施の形態１の実施例２の床構造を示す断面図である。
【図７】本発明の実施の形態１の実施例３の床構造を示す断面図である。
【図８】本発明の実施の形態２の結合構造を示す斜視図である。
【図９】従来の天井梁結合構造を示す説明図である。
【図１０】従来の床梁結合構造を示す説明図である。
【符号の説明】
１０，１１０，２１０，３１０，４１０…結合片
１１，１１１，２１１，３１１，４１１…上フランジ部
１２，１１２，２１２，３１２，４１２…下フランジ部
１３，１１３，２１３，３１３，４１３…側面部
１４，１１４，２１４，３１４，４１４…挿入開口
１４ａ，１１４ａ，２１４ａ，３１４ａ…挿入開口の端縁
２１，２２，４２１，４２２…梁
１２０…床部
１２１，２２１，３２１，４２１…床大梁（梁）
１２２，２２２，３２２，４２２…床小梁（横架材）
１３０…天井部
１３１…天井大梁
１３２…天井小梁
４１５…ブラケット部
Ｌ，Ｌ１，Ｌ２，Ｌ３…挿入開口の高さ
【図１】
0003823042.tif 000002
【図２】
0003823042.tif 000003
【図３】
0003823042.tif 000004
【図４】
0003823042.tif 000005
【図５】
0003823042.tif 000006
【図６】
0003823042.tif 000007
【図７】
0003823042.tif 000008
【図８】
0003823042.tif 000009
【図９】
0003823042.tif 000010
【図１０】
0003823042.tif 000011